(57)【特許請求の範囲】
【請求項１】
モルタル面に複数個貼り付けて外壁面を形成する外壁材であって、
該外壁材は一面が開放凹み面となっている立体であり、前記開放凹み面の先端部を前記モルタル面へ埋設したときに該モルタル面と前記開放凹み面とにより空気層が形成できる形状であり、前記開放凹み面の先端部にモルタル面との係止部を有し、この係止部が先端部面周縁に設けられた複数の貫通孔を有し、前記外壁材を構成する材料が外壁材の表面部、側面部および係止部が一体成形で得られるプラスチック類であることを特徴とする外壁材。
【発明の詳細な説明】
【０００１】
【発明の属する技術分野】
本発明は外壁材に関する。
【０００２】
【従来の技術】
従来、外壁材としては、窯業系外壁材、木材系外壁材、ＡＬＣあるいは金属系外壁材等がある。これらの中でも構造用合板や石こうボードにラス網、モルタル等で下地を形成して、この下地面に窯業系外壁材である無機タイルを貼り付けた外壁材が多用されている。
従来の無機タイルを貼り付けた外壁構造の一例を図５に示す。図５は無機タイルを貼り付けた部分の断面図である。構造用合板や石こうボードなどの基材４の表面にモルタル層５が形成され、さらにタイルセメント７を介して無機タイル８が貼り付けられている。無機タイル８が複数個前後左右に貼り付けられて外壁が形成される。
【０００３】
【発明が解決しようとする課題】
しかしながら、無機タイルを貼り付けた従来の外壁は、次のような問題がある。
第一に、無機タイル表面に亀裂が入りやすいという問題がある。無機タイルは焼き物の一種であり、引張り強度に弱く、かつ外壁部においては下地のタイルセメントおよびモルタル層と強固に接着しているため、モルタル層などの膨張収縮に伴う応力を受けて無機タイル自身に亀裂が入りやすくなる。
【０００４】
第二に、外壁の断熱性に劣るという問題がある。このため、通常は、外壁の内側に断熱材を配設しなければならず、下地から外壁を構築する時間と施工工数とがかかってしまうという問題がある。
【０００５】
第三に、無機タイルは木材系外壁材に比較して重いため、経年劣化でタイルセメントとの接着力が低下して、あるいはタイルセメントが凍害などで劣化して、僅かな衝撃で剥離脱落する場合があるという問題がある。
【０００６】
本発明は、このような問題に対処するためになされたもので、外壁面に亀裂が入らず、施工が容易で、断熱性および安全性に優れた外壁材を提供することを目的とする。
【０００７】
【課題を解決するための手段】
本発明は、モルタル面に複数個貼り付けて外壁面を形成する外壁材であって、該外壁材は一面が開放凹み面となっている立体であり、上記開放凹み面の先端部をモルタル面へ埋設したときに該モルタル面と該外壁材の開放凹み面とにより空気層が形成できる形状であることを特徴とする。
また、上記外壁材の開放凹み面の先端部にモルタル面との係止部を有することを特徴とする。
【０００８】
本発明の外壁材は、一面が開放凹み面となっている立体であり、その開放凹み面の先端部を前記モルタル面へ埋設して貼り付けることにより、モルタル層などの膨張収縮に伴う応力を受けても開放端の先端部で該応力を吸収することができる。その結果、タイル表面に亀裂が生じない。
また、モルタル面と開放凹み面とにより形成される空気層を有することにより、従来の無機タイルに比較して、軽量であっても断熱性に優れた外壁材となる。
【０００９】
【発明の実施の形態】
本発明の外壁材の一実施例を図１により説明する。図１は一個の外壁材を内面となる凹み面側からみた斜視図である。
外壁材１は、図中裏側が外壁材の表面部を形成する平面２と、その四辺に垂直に固定された側面３とが開放先端面を有する立体、すなわち箱型となるように形成されている。側面３の先端部面３ａは同一平面内に、かつその開放先端面周縁が閉じた形状を有するように形成される。先端部面３ａを同一平面とすることにより、外壁材１をモルタル面に複数個埋設したとき、同一の繰り返し模様が形成できる。なお、先端部面３ａは同一平面が形成できれば、平面２と平行であっても、あるいは所定の斜め角度を有していてもよい。好ましくは、先端部面３ａを平面２と平行に形成する。これにより、同一平面高さを有する複数個の外壁材１からなる外壁面が形成できる。
【００１０】
先端部面３ａ周縁に複数の貫通孔３ｂが設けられている。この貫通孔３ｂは、先端部面３ａをモルタル面へ埋設したときに、モルタルがこの貫通孔３ｂ内に充填されて固化することにより、モルタル面と外壁材１とを強固に係止する。
モルタル面との係止は、モルタル面と外壁材１とが係止できれば、貫通孔３ｂ以外であってもよい。係止部の一例を図２に示す。図２（ａ）〜図２（ｃ）は係止部の拡大断面図である。係止部３ｃは、楔形係止部（図２（ａ））、逆Ｌ字形係止部（図２（ｂ））、Ｌ字形係止部（図２（ｃ））等が挙げられる。またこれら係止部と貫通孔とを組み合わせてもよい。
【００１１】
楔形係止部を有する外壁材１の例を図３に示す。図３（ａ）は外面側からみた斜視図、図３（ｂ）は開放凹み面側からみた斜視図である。
この外壁材１の大きさは、無機タイルに略類似した形状を有し、縦ａの長さが約 220mm、横ｂの長さが約 60mm、高さｃが 15mm であり、箱型を形成する厚みｄが 2mmである。また楔形係止部３ｃは厚みｄの倍程度の横ｂ方向への突起幅があればよい。なお、楔形係止部３ｃは横ｂ辺に設けてもよい。
【００１２】
外壁材１の平面形状は、図１に示すような、無機タイルに類似した長方形であっても、あるいは丸、菱形、あるいは任意の平面形状であってもよい。また、外壁材１を複数個モルタル面に張り付けて外壁を形成するときに、同一形状の外壁材１を用いてもよく、また方形、丸、菱形等を組み合わせるてもよい。外壁材１は任意の形状が得られるので、本発明の外壁材を用いることにより、外観美に優れた外壁が得られる。
【００１３】
外壁材１を形成する材料は、引張り強度が無機タイルに比較して強い材料であれば使用できる。好適な材料としては、プラスチックス類、金属類等が挙げられる。特にプラスチックス類は、射出成形、圧縮成形、押し出し成形等を用いて、外壁材の表面部、側面部および係止部が一体成形で得られるので好ましい。また、後述する断熱性能、錆などが生じなく化学的特性にも優れるので好ましい。好適なプラスチックス類は、ポリオレフィン系プラスチックス類、ＡＢＳ樹脂類、ＡＥＳ樹脂類、フェノール樹脂類、アルキッド樹脂類、ポリエステル樹脂類、メラミン樹脂類、エポキシ樹脂類等が挙げられる。ポリオレフィン系プラスチックス類は耐水性、耐候性、耐環境性、成形性に優れているので特に好ましい。なお、上記プラスチックス類は、単独でも混合物でもよく、あるいはプラスチックス類に充填材、難燃材、補強材等が配合されていてもよい。
【００１４】
本発明の外壁材１を用いて外壁工事を行なう例について図４により説明する。図４は、石こうボード等の基材表面にモルタルを塗り、外壁材を装着したときの壁断面図である。
合板や石こうボード等の基材４表面にモルタル５が塗工され、モルタル５が硬化する前に外壁材１が複数貼り付けられて外壁が形成される。外壁材１は係止部３ｃが完全にモルタル５中に埋設するように装着する。係止部３ｃをモルタル５中に埋設して装着するので、モルタル５と外壁材１とが強固に固定される。そのため、無機タイルで必要とされるタイルセメント、目地材などが不要となり、工数および材料費などを少なくすることができ、外壁工事の大幅なコストダウンとなる。
【００１５】
モルタル５が硬化した後の外壁は、モルタル層が膨張収縮を繰り返し、それに伴う応力を外壁材１に及ぼしたとしても、外壁材１自身が伸び縮むことができるので、無機タイルに見られる表面亀裂が発生しない。また、係止部３ｃによりモルタル５と強固に固定されているので、伸び縮みを繰り返したとしてもモルタル５から剥離することがない。特にプラスチックス類を用いた外壁材１の場合、モルタル５の塩基性成分によっても錆などが生じないので、モルタル５に長期間固定しても剥離することがなく耐久性に優れている。
【００１６】
また、外壁材１とモルタル５とで密閉された空気層６が形成される。このため、この空気層６が外壁に形成されるので、本発明の外壁材１を用いた外壁構造体は無機タイルを用いたものに比較して断熱保温性が向上する。例えば熱伝導率は無機タイルが空気層より約 40 程度大きい。このため、本発明の外壁材１は無機タイルよりも約 40 程度の断熱保温効果があるといえる。すなわち、本発明の外壁材１の厚さ 1cmは、無機タイルの厚さ 40cm とほぼ同等の断熱保温効果を有することになり、省エネルギー性に優れた外壁が得られる。
【００１７】
図３に示す外壁材１の重さは約 30gである。一方、該外壁材１と同等の体積を有する無機タイルの重さは約 300g である。したがって万一外壁材１が剥離落下したとしても無機タイルに比較して 1/10 の衝撃力しか受けないことになり、安全性に優れている。
【００１８】
【発明の効果】
本発明は、モルタル面に複数個貼り付けて外壁面を形成する外壁材であって、該外壁は、その一面が開放凹み面となっている立体であり、上記開放凹み面の先端部をモルタル面へ埋設したときに該モルタル面と該外壁材の開放凹み面とにより空気層が形成できる形状であるので、外壁面の表面に亀裂が入らず、かつ個々の外壁材が軽いので施工が容易で、空気層による断熱性および安全性に優れている。
【００１９】
また、外壁材の開放凹み面の先端部にモルタル面との係止部を有するので、タイルセメントを用いることなく、モルタル面に埋設することにより強固に固定できる。その結果、耐久性に優れた外壁面が得られる。
【図面の簡単な説明】
【図１】外壁材を開放凹み面側からみた斜視図である。
【図２】係止部の拡大断面図である。
【図３】係止部を有する外壁材の斜視図である。
【図４】外壁材を貼り付けたときの壁断面図である。
【図５】無機タイル貼り付けた外壁構造部分の断面図である。
【符号の説明】
１  外壁材
２  平面
３  側面
４  基材
５  モルタル
６  空気層
７  タイルセメント
８  無機タイル
【図１】
0004644332.tif 000002
【図２】
0004644332.tif 000003
【図３】
0004644332.tif 000004
【図４】
0004644332.tif 000005
【図５】
0004644332.tif 000006